(57)【要約】【課題】  歯科用展示台の流通を促進することができる流通システムを提供する。【解決手段】  流通システムは、会社１と、複数の歯科技工所２と、歯科医院３で構成される。会社は歯科用展示台の歯の見本以外の構成部品を複数の歯科技工所にそれぞれ販売する（Ａ）。各歯科技工所は、各歯科技工所において作製した歯の見本を、歯の見本以外の構成部品に取り付けて歯科用展示台を完成させ、歯科医院に歯科用展示台を納品する（Ｂ）。歯科技工所から会社に対して所定の要求情報を送り（Ｃ１）、会社は要求情報に応答する（Ｄ１）。歯科医院から会社に対して所定の要求情報を送り（Ｃ２）、会社は要求情報に応答する（Ｄ２）。歯科医院から歯科技工所に対して所定の要求情報を送り（Ｅ）、歯科技工所は要求情報に応答する（Ｆ）。【選択図】  図１
2006230827.tif 000002
【特許請求の範囲】
【請求項１】
歯の見本及び該歯の見本に対応した説明が表記された説明ボードを有する本体を備える歯科用展示台の流通システムであって、
第１の流通拠点から、前記本体を複数の中から選択された所定の第２の流通拠点に対して送るステップと、
前記第２の流通拠点から、前記本体に前記歯の見本を組み合わせて歯科用展示台とならしめ、同歯科用展示台を利用者に対して送るステップとを備える
流通システム。
【請求項２】
歯の見本及び該歯の見本に対応した説明が表記された説明ボードを有する本体を備える歯科用展示台の流通システムであって、
第１の流通拠点から、複数の中から選択された所定の第２の流通拠点に対して、同第２の流通拠点において前記歯の見本が組み合わされることによって歯科用展示台と成す前記本体を送るステップを備える
流通システム。
【発明の詳細な説明】
【技術分野】
【０００１】
本発明は流通システムに関する。詳しくは、歯科用展示台の歯の見本以外の構成部品を第１の流通拠点から第２の流通拠点に送り、第２の流通拠点において歯の見本を組み合わせて歯科用展示台を完成させ、歯科用展示台を利用者に提供することによって、歯科用展示台の流通を促進しようとする流通システムに係るものである。
【背景技術】
【０００２】
従来、歯科治療において、患者は差し歯や詰め物（インレー）等の見本を治療時に歯科医師から見せられて、これから受ける治療の説明を受け、歯科医師は各患者に合った差し歯や詰め物等の製作を歯科技工所に依頼しているが、患者は、治療を受ける前にどのような差し歯やインレー等があるのかを充分に把握することができなかった。義歯見本としては特許文献１に示されるものが存在していた。
【０００３】
【特許文献１】実用新案登録第３０６７７８４号公報
【発明の開示】
【発明が解決しようとする課題】
【０００４】
しかしながら、従来の見本は差し歯やインレー等の見本ではなく、従来の見本では治療を受ける前にどのような差し歯やインレー等があるのかを依然として充分に把握できていなかった。そこで、治療前に治療の内容を患者に知らしめるべく差し歯やインレー等の見本を展示した歯科用展示台を提供することが考えられるが、実際に使われる差し歯等を見本として展示するので、差し歯等の見本の製作に時間がかかり、通常の流通方法を用いたのでは、このような歯科用展示台を充分に流通させることが困難であろうという懸念があった。
【０００５】
即ち、歯科医院から歯科用展示台の発注を受けた販売元（歯科技工所等）のみが歯科用展示台の製作や販売を行なうという流通方法では、歯科用展示台を充分に流通させることが困難であると考えられる。
【０００６】
本発明は、以上の点に鑑みて創案されたものであり、歯科用展示台の流通を促進することができる流通システムを提供することを目的とする。
【課題を解決するための手段】
【０００７】
上記の目的を達成するために、本発明の流通システムは、歯の見本及び該歯の見本に対応した説明が表記された説明ボードを有する本体を備える歯科用展示台の流通システムであって、第１の流通拠点から、前記本体を複数の中から選択された所定の第２の流通拠点に対して送るステップと、前記第２の流通拠点から、前記本体に前記歯の見本を組み合わせて歯科用展示台とならしめ、同歯科用展示台を利用者に対して送るステップとを備える。
【０００８】
ここで、第１の流通拠点から、本体を複数の中から選択された所定の第２の流通拠点に対して送るステップと、第２の流通拠点から、本体に歯の見本を組み合わせて歯科用展示台とならしめ、歯科用展示台を利用者に対して送るステップによって、利用者に対して迅速に歯科用展示台を提供できる。
【０００９】
また、上記の目的を達成するために、本発明の流通システムは、歯の見本及び該歯の見本に対応した説明が表記された説明ボードを有する本体を備える歯科用展示台の流通システムであって、第１の流通拠点から、複数の中から選択された所定の第２の流通拠点に対して、第２の流通拠点において歯の見本が組み合わされることによって歯科用展示台と成す本体を送るステップを備える。
【００１０】
ここで、第１の流通拠点から、複数の中から選択された所定の第２の流通拠点に対して、第２の流通拠点において歯の見本が組み合わされることによって歯科用展示台と成す本体を送るステップによって、利用者に対して迅速に歯科用展示台を提供できる。
【発明の効果】
【００１１】
本発明に係る流通システムは、歯科用展示台の流通を促進することができる。
【００１２】
そして、歯科用展示台の流通が促進されることによって、治療前に患者が治療の内容を知ることができるようになる。
【発明を実施するための最良の形態】
【００１３】
以下、本発明の実施の形態について図面を参照しながら説明し、本発明の理解に供する。図１は、本発明を適用した流通システムの実施態様の一例を示す概略説明図である。本発明を適用した流通システムは、会社（第１の流通拠点）１と、複数の歯科技工所（第２の流通拠点）２と、歯科医院（利用者）３で構成される。
【００１４】
ここで、会社は、歯科用展示台の歯の見本以外の構成部品（説明ボードを有する本体）を製造し、販売する会社である。なお、会社が歯の見本以外の構成部品を販売できれば、歯の見本以外の構成部品の製造を他の会社に依頼してもよい。
【００１５】
次に、本発明を適用した流通システムの流れを具体的に説明する。先ず、会社は歯科用展示台の歯の見本以外の構成部品を複数の中から選択された歯科技工所に販売する（Ａ）。
【００１６】
そして、歯の見本以外の構成部品を購入した各歯科技工所は、各歯科技工所において作製した歯の見本を、購入した歯の見本以外の構成部品に取り付けて歯科用展示台を完成させ、取引のある歯科医院に歯科用展示台を納品する（Ｂ）。ここで、「歯の見本」とは、差し歯、インレー（虫歯治療時に歯に詰める詰め物）もしくはインレーを詰めた歯、歯表面を研削してセラミックが貼り合わされた（ラミネートされた）歯、並びにコア（歯の支台形態の回復及び支台補強に用いる土台）といった治療の用に供されるものと略同一の材料からなる見本のみならず、加工性や経済性を考慮して治療の用に供されるものと異なる材料からなる見本を含む。なお、歯科技工所が歯科医院に歯科用展示台を納品できれば、歯科用展示台を販売するという形式でもよいし、レンタル（賃貸し）という形式でもよい。歯科用展示台を受領した歯科医院は、例えば院内の待合室等に歯科用展示台を配置する。
【００１７】
また、歯科技工所から会社に対して所定の要求情報を送り（Ｃ１）、会社は送られてきた所定の要求情報を受領し、要求情報に応答する（Ｄ１）。なお、ここで言う「所定の要求情報」とは、例えば、会社から歯科技工所を介して歯科医院に送られた、必要な歯の見本の種類や説明ボードに記載する内容等が記載された歯科用展示台申し込みシートに基づく歯の見本以外の構成部品の注文、歯の見本以外の構成部品への歯科技工所名の表示要求、歯の見本以外の構成部品についての希望する材質、形状等に関する情報などが挙げられる。具体的には例えば、歯科用展示台申し込みシートに基づく歯の見本以外の構成部品についての注文を受けて、これを歯科技工所に納品することが挙げられる。
【００１８】
また、歯科医院から会社に対して所定の要求情報を送り（Ｃ２）、会社は送られてきた所定の要求情報を受領し、要求情報に応答する（Ｄ２）。なお、ここで言う「所定の要求情報」とは、例えば歯科用展示台の注文、希望する歯の見本とそれに関する内容（金額、治療効果等）の説明、歯科用展示台の資料請求などが挙げられる。具体的には例えば、歯科用展示台の資料請求を受けた会社が資料を歯科医院に送付することが挙げられる。
【００１９】
また、歯科医院から歯科技工所に対して所定の要求情報を送り（Ｅ）、歯科技工所は送られてきた所定の要求情報を受領し、要求情報に応答する（Ｆ）。ここで言う「所定の要求情報」とは、例えば、会社から歯科技工所を介して歯科医院に送られた、必要な歯の見本の種類や説明ボードに記載する内容等が記載された歯科用展示台申し込みシートに基づく歯科用展示台の注文や歯の見本の追加注文などが挙げられる。具体的には例えば、歯科用展示台申し込みシートに基づく歯の見本の追加注文を受けた歯科技工所が、歯の見本を歯科医院に納品することが挙げられる。
【００２０】
また、第１の流通拠点が歯の見本に対応した説明が表記された説明ボードを有する本体を複数の中から選択された第２の流通拠点に対して送るステップと、第２の流通拠点が第１の流通拠点から受領した歯の見本に対応した説明が表記された説明ボードを有する本体に、歯の見本を組み合わせて歯科用展示台とならしめ、歯科用展示台を利用者に対して送るステップを、本発明を適用した流通システムが備えていれば、第１の流通拠点が利用者及び第２の流通拠点から所定の要求情報を受領すると共に、要求情報に応答するステップ、第２の流通拠点が第１の流通拠点へ所定の要求情報を送るステップ、並びに第２の流通拠点が利用者から所定の要求情報を受領すると共に、要求情報に応答するステップを備えていなくてもよい。
【００２１】
また、第１の流通拠点が歯の見本に対応した説明が表記された説明ボードを有する本体を複数の中から選択された第２の流通拠点に対して送るステップと、第２の流通拠点が第１の流通拠点から受領した歯の見本に対応した説明が表記された説明ボードを有する本体に、歯の見本を組み合わせて歯科用展示台とならしめ、歯科用展示台を利用者に対して送るステップを、本発明を適用した流通システムが備えていれば、複数の中から選択された第２の流通拠点は、歯の見本に使われる材料を提供する歯科材料屋もしくは歯科医院の新規開業に携わる専門業者と提携してもよい。
【００２２】
また、他の実施態様の一例としては、上記の実施態様における複数の中から選択された第２の流通拠点が第１の流通拠点から受領した歯の見本に対応した説明が表記された説明ボードを有する本体に、歯の見本を組み合わせて歯科用展示台とならしめ、歯科用展示台を利用者に対して送るステップに代えて、複数の中から選択された第２の流通拠点が第１の流通拠点から受領した歯の見本に対応した説明が表記された説明ボードを有する本体に、歯の見本を組み合わせて歯科用展示台とならしめ、歯科用展示台を複数の中から選択された第３の流通拠点（歯科技工所）に対して送るステップと、第３の流通拠点が第２の流通拠点から受領した歯科用展示台に更に別の歯の見本を組み合わせて得られた歯科用展示台を利用者（歯科医院）に対して送るステップを備える。
【００２３】
かかる他の実施態様においても、歯科医院から第３の流通拠点（歯科技工所）へ所定の要求情報が送られたり、要求情報に応答したりすることが行なわれる。また、第３の流通拠点（歯科技工所）から第２の流通拠点（歯科技工所）へ所定の要求情報が送られたり、要求情報に応答したりすることが行なわれる。
【００２４】
図２に、流通させる歯科用展示台の一例を示す概略斜視図を示す。歯科用展示台４は、開口部５Ａが形成された２段の台５と、背台６と、開口部に挿入される凸部７Ａを有する円柱状の光透過性プラスチックで構成されたベース７と、ベースに取り付けられた歯の見本８と、差し歯やインレー等の名称欄、それらの保険適用の可否欄、材質欄、説明欄、様々な効果を表した効果欄及び費用欄が表記された説明ボード９からなる。
【００２５】
ここで、歯の見本を展示できれば、台は２段でなくてもよく、１段でもよい。また、患者が差し歯やインレー等の治療内容を知ることができれば、必ずしも保険適用の可否欄、材質欄、説明欄、様々な効果を表した効果欄及び費用欄が説明ボードに表記されていなくてもよい。更に、歯の見本を取り付けられるのであれば、ベースは円柱状の光透過性プラスチックで構成されていなくてもよい。
【００２６】
このように、第１の流通拠点（会社）が歯科用展示台の構成部品のうち歯の見本以外の構成部品を製造して複数の中から選択された第２の流通拠点（歯科技工所）へ送り、第２の流通拠点が歯の見本を付け加えて歯科用展示台を完成させて利用者（歯科医院）へ送るので、１つの流通拠点において歯科用展示台を製造し利用者へ送る場合よりも、利用者に対して迅速に歯科用展示台を提供できる。
【００２７】
また、第１の流通拠点から歯科用展示台の構成部品のうち歯の見本以外の構成部品を第２の流通拠点が購入することによって、第２の流通拠点は、実際に患者に使われる差し歯等の臨床模型よりも高価な歯の見本を作製することができ、そして歯の見本を組み合わせた歯科用展示台を利用者に販売できるので、第２の流通拠点の収入増が期待できる。
【００２８】
更に、複数の中から選択された第２の流通拠点（歯科技工所）から、複数の中から選択された第３の流通拠点に歯科用展示台を送り、第３の流通拠点が第２の流通拠点から受領した歯科用展示台に更に別の歯の見本を組み合わせて得られた歯科用展示台を利用者に対して送ることで、更に利用者に対して迅速に歯科用展示台を提供できる。
【００２９】
また、歯の見本が展示された歯科用展示台を受領した利用者（歯科医院）が例えば院内の待合室等に歯科用展示台を配置することによって、患者は治療前に治療法の内容を知ることができ、これによって治療への理解が深まると共に歯科医院への信頼感も深まり、このような歯科医院において治療を希望する患者が増えることが期待できる。
【００３０】
そして、歯科用展示台を購入した歯科医院での治療を希望する患者が増えることによって、歯科用展示台を歯科医院へ販売した歯科技工所への歯科医院からの実際の臨床模型の注文や新たな歯科用展示台の注文が、増えることが期待できる。
【００３１】
更に、第１の流通拠点が利用者及び第２の流通拠点から所定の要求情報を受領すると共に、要求情報に応答することや、第２の流通拠点が利用者から所定の要求情報を受領すると共に、要求情報に応答することによって、歯科治療の現場の要望に対して柔軟に対応でき、歯科治療の現場に適した歯科用展示台を流通させることができる。
【図面の簡単な説明】
【００３２】
【図１】本発明を適用した流通システムの実施態様の一例を示す概略説明図である。
【図２】流通させる歯科用展示台の一例を示す概略斜視図である。
【符号の説明】
【００３３】
１    会社（第１の流通拠点）
２    歯科技工所（第２の流通拠点）
３    歯科医院（利用者）
４    歯科用展示台
５    台
５Ａ  開口部
６    背台
７    ベース
７Ａ  凸部
８    歯の見本
９    説明ボード
【図１】
2006230827.tif 000003
【図２】
2006230827.tif 000004